(57)【要約】【課題】本発明は導電コンクリート構造を提供した。【解決手段】本発明は導電コンクリート構造を提供した。導電コンクリート本体、外接電源、外接電源の負極電と連結する第一導電モジュール、外接電源の正極電と連結する第二導電モジュールを含んでいる。前記の第一導電モジュール、第二導電モジュールはそれぞれ導電コンクリート本体の内部の両側に貫通して配置される。第一導電モジュールは第一導電段、第二導電段、第三導電段を含んでいる。第二導電段の一端が第一導電段に接続されて、第二導電段の他端は第三導電段に接続されている。第二導電モジュールは第四導電段、第五導電段、第六導電段を含み、第五導電段の一端は第四導電段に接続されて、第五導電段の他端は第六導電段に接続される。導電コンクリートが電極端が安全電圧より低い電圧に接続する場合には、本発明の実施例が提供する導電コンクリート構造は発熱効率を向上させ、そして導電コンクリートの氷雪融解効率を効果的に向上させ、且つ歩行者の安全を保証する。【選択図】図１
2019178478.tif 000002
【特許請求の範囲】
【請求項１】
導電コンクリート構造であって、導電コンクリート本体、外接電源、外接電源の負極電と連結する第一導電モジュール、外接電源の正極電と連結する第二導電モジュールを含み、第一導電モジュール、第二導電モジュールはそれぞれ導電コンクリート本体の内部の両側に貫通して配置され、第一導電モジュールは第一導電段、第二導電段、第三導電段を含み、第二導電段の一端が第一導電段に接続され、第二導電段の他端は第三導電段に接続され、第一導電段は導電コンクリート本体の片側のエッジに隣接して配置され、導電コンクリート本体の軸に沿って延びており、第二導電モジュールは第四導電段、第五導電段、第六導電段を含み、第五導電段の一端は第四導電段に接続され、第五導電段の他端は第六導電段に接続され、第四導電段は導電コンクリート本体の他側のエッジに隣接して配置され、導電コンクリート本体の軸に沿って延びており、第三導電段と第六導電段の間の距離は、第一導電段と第四導電段との間の距離より小さく、第一導電段と第四導電段は平行であり、第三導電段と第六導電段は平行であり、第二導電段と第一導電段は垂直になり、第五導電段と第四導電段は垂直になり、第二導電段の数は少なくとも一つであり、第五導電段の数は少なくとも一つであり、第一導電段、第二導電段、第三導電段、第四導電段、第五導電段、第六導電段はいずれもステンレス板であり、第一導電段、第二導電段、第三導電段、第四導電段、第五導電段、第六導電段には、いずれにも複数のスルーホールが設けられており、第一導電段、第四導電段は全部ストランドであり、第一導電段、第四導電段はいずれも鉄筋であり、第一導電段の一端は導電を通じて外接電源の負極電と接続し、第四導電段の一端は、導電を通じて、外接電源の正極電と接続していることを特徴とする導電コンクリート構造。
【発明の詳細な説明】
【技術分野】
【０００１】
本発明はコンクリート技術の分野に関し、特に導電コンクリート構造に関する。
【背景技術】
【０００２】
道路の氷は人民の旅に大きな影響を与えるだけでなく、常に高速道路の封鎖、空港の欠航などの原因となり、交通安全に対して脅威を構成する。そのため、どのように氷雪を融解させるかという研究は大切な意味を持っている。氷雪を融解させる方法はたくさんあるが、大多数は全て深刻な弊害がある。例えば、化学溶け法は一般的にNaClを含む化学剤を使うため、鉄筋の腐食をもたらすだけでなく、路面の構造の耐久性を低下させ、また植生を破壊し、環境を汚染する。機械溶け法なら、除雪機械は半分以上の時間で空き状態になっていて、資源の無駄遣いをする。
【０００３】
従来の技術では、導電コンクリートは氷雪融解の効率が高く、環境汚染を引き起こさないため、広い発展の見通しがある。しかし、現在採用される導電コンクリートの普遍的な不足は発熱の速度とアクセス電圧が比例しているという点にある。もし電気極端のアクセス電圧は人の安全電圧（36V）以内なら、発熱の速度が遅すぎる。もし電気極端のアクセス電圧を大きくすれば、発熱率を高めることができるが、歩行者の安全を脅かし、安全上の危険を構成する。
【特許文献１】中国特許出願公開第103594826号明細書
【特許文献２】中国特許出願公開第103420647号明細書
【発明の概要】
【発明が解決しようとする課題】
【０００４】
従来の導電コンクリートは発熱率を高めるために、電気極端からアクセスする電圧を大きくする必要があり、安全上の危険を構成する。本発明の実施例は導電コンクリート構造を提供し、これらの技術問題を解決する。電気極端からアクセスする電圧が安全電圧より低い場合、有効に発熱率を向上させるのを保証する。それで、導電コンクリートの氷雪融解の効率を高め、通行人の安全を保証する。
【０００５】
上記の技術問題を解決するため、本発明の実施例は導電コンクリート構造を提供する。導電コンクリート本体、外接電源、外接電源の負極電と連結する第一導電モジュール、外接電源の正極電と連結する第二導電モジュールを含んでいる。前記の第一導電モジュール、第二導電モジュールはそれぞれ導電コンクリート本体の内部の両側に貫通して配置される。第一導電モジュールは第一導電段、第二導電段、第三導電段を含んでいる。第二導電段の一端が第一導電段に接続されて、第二導電段の他端は第三導電段に接続されている。第二導電モジュールは第四導電段、第五導電段、第六導電段を含み、第五導電段の一端は第四導電段に接続されて、第五導電段の他端は第六導電段に接続される。第四導電段は導電コンクリート本体の他側のエッジに隣接して配置され、導電コンクリート本体の軸に沿って延びている。第三導電段と第六導電段の間の距離は、第一導電段と第四導電段との間の距離より小さい。
【０００６】
好ましい方案として、第一導電段と第四導電段は平行であり、第三導電段と第六導電段は平行である。
【０００７】
好ましい方案として、第二導電段と第一導電段は垂直になり、第五導電段と第四導電段は垂直になる。
【０００８】
好ましい方案として、第二導電段の数は少なくとも一つで、第五導電段の数は少なくとも一つである。
【０００９】
好ましい方案として、第一導電段、第二導電段、第三導電段、第四導電段、第五導電段、第六導電段はいずれもステンレス板である。
【００１０】
好ましい方案として、第一導電段、第二導電段、第三導電段、第四導電段、第五導電段、第六導電段には、いずれも複数のスルーホールが設けられている。
【００１１】
好ましい方案として、第一導電段、第四導電段は全部ストランドである。
【００１２】
好ましい方案として、第一導電段、第四導電段はいずれも鉄筋である。
【００１３】
好ましい方案として、第一導電段の一端は導電を通じて外接電源の負極電と接続して、第四導電段の一端は、導電を通じて、外接電源の正極電と接続している。
【発明の効果】
【００１４】
現有の技術に比べて、本発明の実施例の有益な効果は以下のとおりである。第一導電モジュールを通じて、第二導電モジュールと導電コンクリート主体との相互結合、第三導電段と第六導電段との間の距離は、第一導電段と第四導電段との間の距離より小さく、導電コンクリート本体の両側電極間の間隔を有効に短縮することができるし、導電コンクリート本体の抵抗率を減らせ、導電コンクリート本体の発熱率を増大させる。前記の外接電源は第一導電モジュールと第二導電モジュールを通して、コンクリート本体に36Vより低い電圧を提供し、導電コンクリート本体の急速な発熱を実現することができる。氷雪を融解する要求を満たすとともに、通行人の安全を有効に確保している。他に、第一導電モジュールと第二導電モジュールは導電コンクリートと電極との間の接触面積を大幅に増加させ、導電コンクリートと電極との脱落現象を効果的に防止する。このように、従来の導電コンクリートに比べて、本実施例は電極端がアクセス電圧が同じである場合において、導電コンクリート本体は第一導電モジュールと第二導電モジュールを結合して、発熱率を有効に向上させ、導電コンクリートを急速に発熱させ、通行人の安全を確保するだけでなく、氷雪を融解することができるし、導電コンクリートと電極の脱落現象も避けられる。
【図面の簡単な説明】
【００１５】
【図１】図１は本発明の実施例における導電コンクリート構造の構造案内図。
【図２】図２は本発明の実施例における第一導電段の構造案内図。
【図３】図３は本発明の実施例における第二導電段の構造案内図。
【発明を実施するための形態】
【００１６】
図面の中の主な符号について、10、第一導電モジュール；11、第一導電段；111、第一導電段の棒の穴；112、第一導電段の円孔；12、第二導電段；121、第二導電段の棒の穴；13、第三導電段；20、第二導電モジュール；21、第四導電段；22、第五導電段；23、第六導電段；30、導電コンクリート本体；40、外接電源を指す。
【００１７】
以下、本発明の実施例における図面と結合して、本発明の実施例における技術方案を明らかにし、完全に説明する。明らかに、説明する実施例はわずか一部であり、全ての実施例ではない。本発明における実施例に基づいて、当分野の一般技術者は、創造性がない労働の前提の下で得られる全ての実施例が全て本発明の保護範囲に属している。
【００１８】
図1を参照して、本発明の最適な実施例は導電コンクリート構造を提供した。導電コンクリート本体30、外接電源40、外接電源40の負極電と連結する第一導電モジュール10、外接電源40の正極電と連結する第二導電モジュール20を含んでいる。前記の第一導電モジュール10、第二導電モジュール20はそれぞれ導電コンクリート本体30の内部の両側に貫通して配置される。
【００１９】
第一導電モジュール10は第一導電段11、第二導電段12、第三導電段13を含んでいる。第二導電段12の一端が第一導電段11に接続されて、第二導電段12の他端は第三導電段13に接続されている。第一導電段11は導電コンクリート本体30の片側のエッジに隣接して配置され、導電コンクリート本体30の軸に沿って延びている。第二導電モジュール20は第四導電段21、第五導電段22、第六導電段23を含み、第五導電段22の一端は第四導電段21に接続されて、第五導電段22の他端は第六導電段23に接続されて、第四導電段21は導電コンクリート本体30の他側のエッジに隣接して配置され、導電コンクリート本体30の軸に沿って延びている。第三導電段13と第六導電段23の間の距離は、第一導電段11と第四導電段21との間の距離より小さい。本発明の実施例においては、第一導電モジュール10、第二導電モジュール20と導電コンクリート本体30の相互結合を通して、第三導電段13と第六導電段23の間の距離は第一導電段11と第四導電段21の距離より小さい。導電コンクリート本体30の両側電極間の間隔を有効に短縮することができるし、導電コンクリート本体30の抵抗率を減らせ、導電コンクリート本体の発熱率を増大させる。外接電源は第一導電モジュール10と第二導電モジュール20を通して、コンクリート本体30に36Vより低い電圧を提供し、導電コンクリート本体30の急速な発熱を実現することができる。氷雪を融解する要求を満たすとともに、通行人の安全を有効に確保している。他に、前記の第一導電モジュール10と第二導電モジュール20は導電コンクリートと電極との間の接触面積を大幅に増加させ、導電コンクリートと電極との脱落現象を効果的に防止する。このように、従来の導電コンクリートに比べて、本実施例は電極端がアクセス電圧が同じである場合において、導電コンクリート本体30は第一導電モジュール10と第二導電モジュール20を結合して、発熱率を有効に向上させ、導電コンクリートを急速に発熱させ、通行人の安全を確保するだけでなく、氷雪を融解することができるし、導電コンクリートと電極の脱落現象も避けられる。
【００２０】
本発明の実施例において、説明しなければならないのは、第一導電段11、第一導電段12、第三導電段13の間に溶接方式を採用して一体となるということである。同様に、第四導電段21、第五導電段22、第六導電段23の間にも溶接方式を採用して一体となる。それによって、第一導電モジュール10、第二導電モジュール20の信頼性と強固性を向上させ、更に導電を容易にして、工事コストを下げた。
【００２１】
図１を参照し、本発明の実施例において、第一導電段11と第四導電段21は平行であり、第三導電段13と第六導電段23は平行である。第一導電モジュール10、第二導電モジュール20は別々に導電コンクリート本体30の内部の両側に貫通して配置されるため、且つ第一導電段11は導電コンクリート本体30の片側のエッジに隣接して配置され、導電コンクリート本体30の軸に沿って延びている。及び第四導電段21は導電コンクリート本体30の他側のエッジに隣接して配置され、且つ導電コンクリート本体30の軸に延びている。第一導電段11と第四導電段21は平行であり、第三導電段13と第六導電段23は平行である。第三導電段13と第六導電段23は平行であるから、第三導電段13と第六導電段23は平行である。それによって、第三導電団13のいずれかの箇所と第六導電段23のいずれかの箇所の距離は等しくて、更に第三導電段13と第六導電段23の間の導電コンクリートの電流の均一性を向上させ、導電コンクリート本体30がどこでも均一に発熱させる。
【００２２】
理解されるように、第一導電モジュール10の形は第二導電段12の数及び第一導電段11、第三導電段13との間の接続方法によって決まる。第一導電モジュール10の形は工字型、口字型、井字型を含むがこれらに限らない。同じように、第二導電モジュール20の形は第五導電段22の数及び第四導電段21、第六導電段23との間の接続方法によって決まるから、ここで詳細は省略する。
【００２３】
図１を参照し、本発明の実施例において、第二導電段12と第一導電段11は垂直になり、第五導電段22と第四導電段21は垂直になる。第二導電段12は第一導電段11と第三導電段13の間の導電媒介として、第二導電段12と第一導電段11は垂直になるとき、第二導電段12の長さが一番短く、それによって導電コンクリートの工事コストを低減させた。第二導電段12は導電コンクリート本体30と電極との間の接触面積を増加させるから、導電コンクリートと電極の脱落現象を効果的に回避する。
【００２４】
同様に、第五導電段22は第四導電段21と第六導電段23の間の導電媒介として、第五導電段22と第四導電段21は垂直になるとき、第五導電段22の長さが一番短く、それによって導電コンクリートの工事コストを低減させた。第五導電段22は導電コンクリート本体30と電極との間の接触面積を増加させるから、導電コンクリートと電極の脱落現象を効果的に回避する。
【００２５】
図１を参照し、本発明の実施例において、理解できるのは第二導電段12の数は少なくとも一つで、第五導電段22の数は少なくとも一つである。本実施例において、第二導電段12、第五導電段22の数はいずれも二つである。二つの第二導電段12は別々に第一導電段11の両端に設けられ、二つの第五導電段22は別々に第四導電段21の両端に設置されている。
【００２６】
図１を参照し、本発明の実施例において、第一導電段11、第二導電段12、第三導電段13、第四導電段21、第五導電段22、第六導電段23はいずれもステンレス板である。ステンレス板は良好な耐食性、機械加工性を有し、ステンレスを電極とし、コンクリート構造の使用年数を有効に向上させることができる。
【００２７】
図１を参照し、本発明の実施例において、さらなる改良として、第一導電段11、第二導電段12、第三導電段13、第四導電段21、第五導電段22、第六導電段23には、いずれも複数のスルーホールが設けられている。以上の複数のスルーホールは、導電コンクリート本体30が注入するときに有利である。導電コンクリート本体30と第一導電モジュール10、第二導電モジュール20との間の結合はより堅固で、電極とコンクリートとの間の堅固性と信頼性をさらに向上させる。
【００２８】
本実施例に説明しなければならないのは、第一導電段11、第三導電段13、第四導電段21、第六導電段23の長さは、導電コンクリート本体30の長さと同じまたは近似している。第一導電段11、第二導電段12、第三導電段13、第四導電段21、第五導電段22、第六導電段23はオープン穴ステンレスを電極材料としたとき、第一導電段11、第二導電段12、第三導電段13、第四導電段21、第五導電段22、第六導電段23のサイズは導電コンクリート本体30に必要なコンクリートブロックの大きさによって定められている。複数のオープン穴は接触する電気抵抗及び抵抗率のニーズによって決定される。第一導電段11と第二導電段12を例にして、図2と図3のとおり、第一導電段11の上に複数の円孔と棒孔が設置され、第二導電段12の上に棒孔が設置される。第一導電段の円孔112、第一導電段の棒穴111、第二導電段の棒穴121はいぜれも実際の工事または実験の需要によって決まっている。本発明の実施例において、第一導電段11、第四導電段21は全部ストランドである。
【００２９】
理解できるのは、第一導電段11、第四導電段21がストランドを用いて、電極を形成するとき、前記したストランドは導電することができるだけでなく、導電コンクリート本体30を製作するとき、プレストレスを加えられる。具体的には、注入したコンクリートは導電コンクリート本体30を形成するとき、ストランドの両端が止め具を通して、導電コンクリート本体30の縦方向に延びる両端に固定的に接続されるし、導電コンクリート本体30の圧縮強度が増大させると同時に、導電コンクリート本体30が発熱の不均一による割れ目を有効に緩められる。導電コンクリート構造の導電発熱の要求を満たすだけでなく、同時に導電コンクリート構造は高強度コンクリートの要求も満たすことができる。それによって導電コンクリート構造の応用範囲と信頼性を向上させる。
【００３０】
本発明の実施例において、更に改善するのは第一導電段11、第四導電段21はいずれも鉄筋である。第一導電段11、第四導電段21は鉄筋を用いて電極を形成するとき、その鉄筋は導電することができるだけでなく、導電コンクリート本体30が製成した後プレストレスを加えられる。具体的には、鉄筋の両端は電極と外接電源40の接続部としても良い。ナットによって固定される。導電コンクリート本体30は鉄筋でプレストレスを加え、導電コンクリートが発熱の不均一による割れ目を有効に緩められる。同時に導電コンクリート構造は高強度コンクリートの要求も満たすことができる。それによって導電コンクリート構造の応用範囲と信頼性を向上させる。
【００３１】
本発明の実施例において、第一導電段11の一端は、導電を通じて、外接電源40の負極電と接続して、第四導電段21の一端は、導電を通じて、外接電源40の正極電と接続している。外接電源40は導電コンクリート本体30に電源を提供し、導電コンクリート本体30が熱量を発生させる。第一導電モジュール10、第二導電モジュール20は別々に導電コンクリート本体30の内部の両側に貫通して配置されるため、且つ第一導電段11は導電コンクリート本体30の片側のエッジに隣接して配置され、導電コンクリート本体30の軸方向に延びる。第四導電段21は導電コンクリート本体30の他側のエッジに隣接して配置され、導電コンクリート本体30の軸方向に延びる。導電コンクリート本体30は導電機能をもっている。導電コンクリート本体30の両側に配置された第一導電モジュール10と第二導電モジュール20は電流を導電コンクリート30に流す。導電コンクリート本体30は印加された電源によって、ジュール効果を生成し、熱量を放出させ、氷雪融解の要求を満足することができる。
【００３２】
以上のことから、本発明は導電コンクリート構造を提供した。導電コンクリート本体30、外接電源40、外接電源40の負極電に接続する第一導電モジュール10と外接電源40の正極電に接続する第二導電モジュール20を含み、第一導電モジュール10、第二導電モジュール20は別々に導電コンクリート本体30の内部の両側に貫通して配置されている。第一導電モジュール10は第一導電段11、第二導電段12、第三導電段13を含む。第二導電段12の一端は第一導電段11の上に接続されて、第二導電段12の他端は第三導電段13の上に接続されている。第一導電段11は導電コンクリート本体30の片側のエッジに隣接して配置されて、導電コンクリート本体30の軸方向に延びる。第二導電モジュール20は第四導電段21、第五導電段22、第六導電段23を含む。第五導電段22の一端は第四導電段21の上に接続されて、第五導電段22の他端は第六導電段23の上に接続されている。第四導電段21は導電コンクリート本体30の他側のエッジに隣接して配置されて、導電コンクリート本体30の軸方向に延びる。第三導電段13と第六導電段23の間の距離は第一導電段11と第四導電段21の間の距離より小さい。
【００３３】
現有の技術に比べて、本発明は以下の有益な効果を持っている。
【００３４】
（1）第一導電モジュール10、第二導電モジュール20と導電コンクリート本体30の相互結合を通じて、第三導電段13と第六導電段23の間の距離は第一導電段11と第四導電段21の間の距離より小さいから、導電コンクリート本体30の両側電極の間隔を有効に短縮することができる。そして導電コンクリート本体30の抵抗率を減らすことで、導電コンクリート本体30の発熱電力を増大させる。ひいては外接電源40は第一導電モジュール10と第二導電モジュール20を通じて、36Vより低い電圧を提供して、導電コンクリート本体30が急速な発熱することを実現させる。氷雪融解の要求を満たす同時に、通行人の安全を有効に確保する。本実施例は大きな導電コンクリートブロックを製作するとき、実際の工事に大切な意味を有する。
【００３５】
（2）第一導電モジュール10と第二導電モジュール20は導電コンクリートと電極との間の接触面積を大幅に増加させるし、導電コンクリートと電極に脱落現象を有効に回避する。
【００３６】
（3）現有の導電コンクリートに比べて、本実施例は電極端が同様の電圧に接続する場合において、導電コンクリート本体30の発熱パワーはP＝IU＝I2Rだから、第一導電モジュール10と多数の第二導電モジュール20は複合電極の形式を採用し、導電コンクリート本体30の抵抗率を減少させ、電流を増大させ、ひいては、発熱パワーを増大させる。従って、電源は36Vの安全電圧より低い発熱電圧を輸出するなら、発熱電圧も急速に発熱し、通行人の安全を確保する。
【００３７】
（4）第一導電モジュール10と第二導電モジュール20はいずれもオープン穴のステンレス板を採用するとき、複数の貫通孔が良い。導電コンクリート本体30が注入するとき、導電コンクリート本体30と第一導電モジュール10、第二導電モジュール20の間の結合をより強固にする。さらに電極とコンクリートとの間の堅固性や信頼性を向上させる。
【００３８】
（5）導電コンクリート本体両側の電極はいずれも溶接方式で一体に固定され、さらに電極とコンクリートとの間の堅固性や信頼性を向上させ、同時に工事コストを低下させる。
【００３９】
以上に開示されたのは、本発明の一つの比較的良い実施例に過ぎない。もちろんこれをもって本発明の権利範囲を限定してはならない。本分野の一般技術者は、上述の実施例の全部または一部の流れを理解することができる。また、本発明の請求の範囲によって作成された同じような変化は依然として発明のカバーの範囲に属している。
【図１】
2019178478.tif 000003
【図２】
2019178478.tif 000004
【図３】
2019178478.tif 000005